(57)【要約】【課題】  受信機に能力が無いために発生する、画像画質の思いがけないフォールバックを防止する。受信機の記録能力の中から、送信者の送りたいモードを選択できるようにする。【解決手段】  ｈｔｔｐサーバ手段および記録能力情報を含んだＷＥＢページ情報を有する受信機と、受信機のＷＥＢページを受信、表示する手段および表示されたＷＥＢページから画像モードを選択する手段を有し、選択した画像モードに従って原稿の読取および画像の伝送を行う送信機からなるＩＰＰＦＡＸ通信システム。【選択図】        図１
2005229481.tif 000002
【特許請求の範囲】
【請求項１】
インターネット網を利用して画像伝送を行うＩＰＰＦＡＸ通信システムにおいて、
ｈｔｔｐのＷＥＢサーバ手段と、ＨＴＭＬフォーマットによって、サポート可能な画像フォーマット情報およびＩＰＰＦＡＸ機能のＵＲＬを記述したＷＥＢページ情報であって、前記ＷＥＢページ情報の画像フォーマット情報のうち、選択可能なフォーマット情報には選択可能なＩＮＰＵＴタグを割り付けておき、前記ＷＥＢサーバ手段によって、前記ＷＥＢページ情報をインターネット上に公開できるように構成された受信機と、
ｈｔｔｐプロトコルによってインターネット上のＷＥＢサーバからＷＥＢページ情報を取得する手段と、取得したＷＥＢページ情報を解析する手段と、解析したＷＥＢページ情報を表示するための表示手段と、表示手段によって表示されたＷＥＢページから、選択可能なＩＮＰＵＴタグが割り付けられた情報を選択する選択手段と、前記選択手段によって選択されたＩＮＰＵＴタグの情報を記憶する手段を有する送信機によって構成されたＩＰＰＦＡＸ通信システムであって、
原稿の送信を行うとき、前記送信機は、受信機の前記ＷＥＢページ情報を取得し、前記表示手段によって表示されたＷＥＢページを表示し、オペレータが前記選択手段によって選択した画像フォーマットのタグの情報を前記記憶手段に記憶し、前記記憶したタグの情報に基づいて原稿の読み取りを行うとともに、前記ＷＥＢページ情報に含まれたＩＰＰＦＡＸのＵＲＬに示された受信機対して、前記記憶したタグの情報に基づいてＩＰＰＦＡＸプロトコルを実行し、読み取った原稿画像データの送信を行うことを特徴とするＩＰＰＦＡＸ通信システム。
【発明の詳細な説明】
【技術分野】
【０００１】
本発明は、インターネット網上で画像伝送を行うＩＰＰＦＡＸにおける伝送画像品質の設定方法に関するものである。
【背景技術】
【０００２】
インターネットの普及およびブロードバンドの普及により、従来の公衆電話回線を経由した通常のファクシミリに代わる画像伝送技術として、インターネット網を利用したＩＰＰＦＡＸプロトコルが、ＩＥＥＥのＰｒｉｎｔｅｒ  Ｗｏｒｋｉｎｇ  Ｇｒｏｕｐ（ＰＷＧ）より提案されている。この方式は、インターネット上でｈｔｔｐプロトコルを利用して、従来のファクシミリに似たネゴシエーションを経て、リアルタイムに相手先に画像を伝送するものである。これによって、従来からあるＳＭＴＰを利用した電子メールベースのインターネットファックスに比べて、メールサーバ等を必要としないため安価なシステム構成で、かつインターネットファックスの弱点である即時性の問題を克服することができる。ＩＰＰＦＡＸにおいても、通信の伝送経路にインターネット網を使用するというと言う違いがあるものの、ユーザの使用方法としては公衆電話回線を利用した従来のファクシミリと同様であり、読取部に原稿をセットし、読取モード（解像度、原稿サイズ、モノクロ／カラー等）を選択し、さらに送信相手先を指定するＵＲＬ（Ｕｎｉｆｏｒｍ  Ｒｅｓｏｕｒｃｅ  Ｌｏｃａｔｏｒ）（従来のファクシミリにおける相手先電話番号に相当するもの）を入力して送信を開始すると言った手順を踏むことになる。
【０００３】
インターネットを介して、相手装置に合わせたデータを送信する技術は、すでにある（例えば特許文献１）。
【特許文献１】特開平１１−１９４９８３号公報
【発明の開示】
【発明が解決しようとする課題】
【０００４】
しかしながら、公衆回線を利用した従来のファクシミリも含めて上記従来技術では、送信者は通信開始前に画像の読取モードを決定し、原稿の読み取りの開始後に通信を開始する。そのため、送信者が送りたいモードを受信機側がサポートしていない場合、送信機は、受信機が受信記録可能なように、読み取った画像に対して解像度変換なり、画像の縮小なりの処理を行って送信することになる。例えば、送信者が高解像度で読み取りを行っても、受信機の記録部の解像度がそれを満足できなければ、受信機の記録部の能力に合わせた解像度に変換する。また例えばＡ３サイズの画像を読み取っても、受信機がＡ４サイズしか記録できなければ、Ａ４サイズに画像を縮小すると言ったフォールバック処理を行う。カラーモードで送信したくても、受信機にカラー記録能力がなければモノクロ画像になってしまうのも当然のことである。つまり送信者が送りたいモードを受信機がサポートしていない場合、送信者が送りたかったものとは異なる画像として受信者が受け取ることになると言う欠点がある。さらに送信者はその結果、つまりフォールバックしたことを知る由もないという欠点がある。
【０００５】
本発明の目的は、送信前に受信機の記録能力を知り、その中から送信者の所望の読み取りモードを選択できるように構成することによって、送信者にとって思いがけない画像のフォールバックをなくすこと、すなわち読み取り画像と記録画像の解像度、用紙サイズ、カラー等を一致させることを目的とする。
【課題を解決するための手段】
【０００６】
上記目的を達成するため本出願の発明は、ＩＰＰＦＡＸプロトコルによる画像伝送を行うＩＰＰＦＡＸ通信システムにおいて、ＩＰＰＦＡＸプロトコルがｈｔｔｐプロトコルで構成されていることを利用して、受信機の情報をＷＥＢページに掲載し、送信機はそのＷＥＢページから受信機の能力を知り、送信モードを決定するようにしたＩＰＰＦＡＸ通信システムである。
【０００７】
受信機は、ｈｔｔｐのＷＥＢサーバ手段と、ＨＴＭＬフォーマットで記述された、受信機のサポート可能な画像フォーマット情報（カラー／モノクロ、解像度、用紙サイズ等）と受信機のＩＰＰＦＡＸ機能のＵＲＬを掲載したＷＥＢページ情報を有し、そのＷＥＢページ情報は、選択可能な画像フォーマット情報を選択可能なＩＮＰＵＴタグで記述していて、前記ＷＥＢサーバ手段によって、前記ＷＥＢページ情報をインターネット上に公開できるように構成される。
【０００８】
送信機は、ｈｔｔｐプロトコルによってインターネット上のＷＥＢサーバからＷＥＢページ情報を取得する手段と、取得したＷＥＢページ情報を表示するための表示手段（以上、いわゆるブラウジング手段）と、表示手段によって表示されたＷＥＢページから、選択可能なＩＮＰＵＴタグで記述された情報を選択する手段と、前記選択手段によって選択されたタグの情報を記憶する手段を有し、前記記憶したタグの情報に基づいて原稿の読み取りを行い、ＩＰＰＦＡＸプロトコルによる画像送信を実行するように構成されたＩＰＰＦＡＸ通信システムである。
【０００９】
もともとＩＰＰＦＡＸ通信はｈｔｔｐプロトコルを利用して実行されるものであるので、ｈｔｔｐのＷＥＢサーバとの通信も、ＩＰＰＦＡＸ通信と同じプロトコルスタックで実現可能である。
【００１０】
以上のように構成することによって、送信前に受信機の記録能力を知ることが可能となり、送信者にとって思いがけない画像のフォールバックをなくすことができる。
【００１１】
なお、さらに説明すれば、本発明は下記の構成によって前記課題を解決できた。
【００１２】
（１）インターネット網を利用して画像伝送を行うＩＰＰＦＡＸ通信システムにおいて、ｈｔｔｐのＷＥＢサーバ手段と、ＨＴＭＬフォーマットによって、サポート可能な画像フォーマット情報およびＩＰＰＦＡＸ機能のＵＲＬを記述したＷＥＢページ情報であって、前記ＷＥＢページ情報の画像フォーマット情報のうち、選択可能なフォーマット情報には選択可能なＩＮＰＵＴタグを割り付けておき、前記ＷＥＢサーバ手段によって、前記ＷＥＢページ情報をインターネット上に公開できるように構成された受信機と、ｈｔｔｐプロトコルによってインターネット上のＷＥＢサーバからＷＥＢページ情報を取得する手段と、取得したＷＥＢページ情報を解析する手段と、解析したＷＥＢページ情報を表示するための表示手段と、表示手段によって表示されたＷＥＢページから、選択可能なＩＮＰＵＴタグが割り付けられた情報を選択する選択手段と、前記選択手段によって選択されたＩＮＰＵＴタグの情報を記憶する手段を有する送信機によって構成されたＩＰＰＦＡＸ通信システムであって、原稿の送信を行うとき、前記送信機は、受信機の前記ＷＥＢページ情報を取得し、前記表示手段によって表示されたＷＥＢページを表示し、オペレータが前記選択手段によって選択した画像フォーマットのタグの情報を前記記憶手段に記憶し、前記記憶したタグの情報に基づいて原稿の読み取りを行うとともに、前記ＷＥＢページ情報に含まれたＩＰＰＦＡＸのＵＲＬに示された受信機対して、前記記憶したタグの情報に基づいてＩＰＰＦＡＸプロトコルを実行し、読み取った原稿画像データの送信を行うことを特徴とするＩＰＰＦＡＸ通信システム。
【発明の効果】
【００１３】
本発明によれば、ＩＰＰＦＡＸプロトコルによる画像伝送を行うＩＰＰＦＡＸ通信システムにおいて、受信機は、ｈｔｔｐのＷＥＢサーバ手段と、選択可能なＩＮＰＵＴタグで記述した記録可能な画像フォーマット情報とＩＰＰＦＡＸ機能のＵＲＬを掲載した、ＨＴＭＬフォーマットで記述されたＷＥＢページ情報を有し、前記ＷＥＢサーバ手段によって、前記ＷＥＢページ情報をインターネット上に公開できるように構成し、
送信機は、ｈｔｔｐプロトコルによってインターネット上のＷＥＢサーバからＷＥＢページ情報を取得する手段と、取得したＷＥＢページ情報を表示するための表示手段（以上、いわゆるブラウジング手段）と、表示手段によって表示されたＷＥＢページから、選択可能なＩＮＰＵＴタグが割り付けられた情報を選択する手段と、前記選択手段によって選択されたタグの情報を記憶する手段を有し、前記記憶したタグの情報に基づいて原稿の読み取りを行うとともに、ＩＰＰＦＡＸプロトコルによる画像送信を実行するように構成した。それによって、送信者は送信前に受信機の記録能力を知ることが可能となり、その中から所望の読み取りモードを選択することによって送信者にとって思いがけない画像のフォールバックをなくすことができる。
【００１４】
さらに、もともとＩＰＰＦＡＸ通信はｈｔｔｐプロトコルを利用して実行されるものであるので、ｈｔｔｐのＷＥＢサーバとの通信も、ＩＰＰＦＡＸ通信と同じプロトコルスタックで実現可能であるので、ＩＰＰＦＡＸの特徴を生かして構成することができる。
【発明を実施するための最良の形態】
【００１５】
以下本発明を実施するための最良の形態を、実施例により詳しく説明する。
【実施例】
【００１６】
図１は本発明を実施したＩＰＰＦＡＸ通信システムの送信機３０１のブロック図である。同図において、制御部１０１はシステム制御部であり、端末装置全体を制御する。ＲＯＭ１０２は制御部１０１の制御プログラムやオペレーティングシステム（ＯＳ）プログラムなどが格納され、制御部１０１はここに格納された制御プログラムに従って端末装置の動作を制御する。本発明では、ＲＯＭ１０２に格納されている各制御プログラムは、ＲＯＭ１０２に格納されたＯＳプリグラムの管理下でスケジューリングやタスク切り替えなどのソフトウエア制御が行われる。ＲＡＭ１０３は演算処理や、オペレータが登録した設定値や送信相手先ＵＲＬ、装置の管理データ等の記憶、さらには端末装置をインターネットルータに接続した時に取得するＩＰアドレスの記憶等に使用される。バッファメモリ１０４は読み取った画像データや受信した画像データを蓄積、およびＬＡＮで送受信されるデータパケットの蓄積やＷＥＢページ情報の蓄積等を行うものである。操作部１０５は各種入力キーで構成され、オペレータによる各種入力操作を行うものである。表示部１１０は、ＬＥＤ、ＬＣＤ等で構成され、ｈｔｔｐプロトコルによって取得したＷＥＢページ情報の表示や、画像処理装置の動作状況の表示などを行うものである。読取処理部１０６は、読取部１０７において光電変換素子によって原稿を光学的に読み取り、電気的な画像データに変換した画像信号を、２値化処理、中間調処理などの各種画像処理を施して高精細な画像データを出力するものである。読取処理部は、ＲＯＭ１０２に格納された制御プログラムのスキャン制御タスクプログラムによって制御される。読取部１０７はＣＣＤやコンタクトイメージセンサ等の光電変換素子によって構成されている。符号復号化処理部１１２は、通信モードに応じて画像データを、ＭＨ、ＭＲ、ＪＩＢＧ、ＪＰＥＧ等の圧縮伸張する符号復号化処理を行うものである。１１５はＬＡＮでの通信制御を行うＬＡＮ制御部である。ＬＡＮ制御部はＬＡＮに接続され、ＴＣＰ／ＩＰ等の規格に沿ってプロトコル制御を行い、例えば１０Ｂａｓｅ／Ｔの速度で、送信機が取得したＩＰアドレスを宛先にしたデータパケットの受信および送信機からのデータパケットの送信を行う。ＬＡＮ制御部は、データパケットを受信すると制御部１０１に通知する。１１６はキャラクタジェネレータで、ＨＴＭＬで記述されたＷＥＢページ情報の文字データを、表示部１１０に表示するための文字画像に変換するものである。１２０は、制御部１０１と各ブロックを接続するシステムバスである。３０７は、ＬＡＮケーブルで、これによってインターネットルータ３０４に接続される。
【００１７】
図２は本発明を実施したＩＰＰＦＡＸ通信システムの受信機３０６のブロック図である。同図において、制御部２０１はシステム制御部であり、端末装置全体を制御する。ＲＯＭ２０２は制御部２０１の制御プログラムやオペレーティングシステム（ＯＳ）プログラムなどが格納され、制御部２０１はここに格納された制御プログラムに従って端末装置の動作を制御する。本発明では、ＲＯＭ２０２に格納されている各制御プログラムは、ＲＯＭ２０２に格納されたＯＳプリグラムの管理下でスケジューリングやタスク切り替えなどのソフトウエア制御が行われる。ＲＡＭ２０３は演算処理や、オペレータが登録した設定値や送信相手先ＵＲＬ、装置の管理データ等の記憶、さらには端末装置をインターネットルータに接続した時に取得するＩＰアドレスの記憶等に使用される。バッファメモリ２０４は読み取った画像データや受信した画像データを蓄積、およびＬＡＮで送受信されるデータパケットの蓄積等を行うものである。操作部２０５は各種入力キーで構成され、オペレータによる各種入力操作を行うものである。表示部２１０は、ＬＥＤ、ＬＣＤ等で構成され、受信機の各種設定をするための表示や、受信機の動作状況の表示などを行うものである。記録処理部２０８は、記録部２０９によって画像データを記録するために、記録画像データに対し解像度変換処理やスムージング処理を行う。また、記録部２０９に紙無し、紙ジャム、トナー（あるいはインク）切れなどの障害が発生したとき、記録部２０９から障害情報を受け取り、制御部２０１に通知するものである。記録処理部は、ＲＯＭ２０２に格納された制御プログラムのプリンタ制御タスクプログラムによって制御される。記録部２０９はレーザービームプリンタやインクジェットプリンタ等で構成されていて、記録紙検知手段、トナー（あるいはインク）検知手段、ジャム検知手段を有している。符号復号化処理部２１２は、通信モードに応じて画像データを、ＭＨ、ＭＲ、ＪＩＢＧ、ＪＰＥＧ等の圧縮伸張する符号復号化処理を行うものである。２１５はＬＡＮでの通信制御を行うＬＡＮ制御部である。ＬＡＮ制御部はＬＡＮに接続され、ＴＣＰ／ＩＰ等の規格に沿ってプロトコル制御を行い、例えば１０Ｂａｓｅ／Ｔの速度で、受信機が取得したＩＰアドレスを宛先にしたデータパケットの受信および受信機からのデータパケットの送信を行う。ＬＡＮ制御部は、データパケットを受信すると制御部２０１に通知する。２１７はＷＥＢページメモリで、ＨＴＭＬ文書で記述された、受信機の受信能力を示すＷＥＢページ情報（本実施例では、ファイル名  ｆａｘ．ｈｔｍｌ）が記憶される。このＷＥＢページ情報には、受信機の受信能力（カラー／モノクロ、解像度、用紙サイズ等）およびＩＰＰＦＡＸ機能のＵＲＬが選択可能なＩＮＰＵＴタグで記述されている。２２０は、制御部２０１と各ブロックを接続するシステムバスである。３０８は、ＬＡＮケーブルで、これによってインターネットルータ３０５に接続される。
【００１８】
図３は、本発明のＩＰＰＦＡＸ通信システムの利用形態を示したものである。同図において、３０１は本発明のＩＰＰＦＡＸ送信機であり、例えば  ｉｐｐｆａｘ：／／ａｂｃ．ｃｏｍ  というＵＲＬを有する。３０２はインターネット網（ＩＰ網）、３０３はＤＮＳ（Ｄｏｍａｉｎ  Ｎａｍｅ  Ｓｙｓｔｅｍ）サーバであり、ドメインネームをＩＰアドレスに変換するものである。３０４，３０５はＩＰＰＦＡＸ装置をＩＰ網に接続するためのインターネットルータであり、ＩＰ網を流れるデータパケットの中から、ルータに接続された装置宛てのパケットを選別する機能も有する。３０６は本発明のＩＰＰＦＡＸ受信機であり、例えば  ｉｐｐｆａｘ：／／ｅｆｇ．ｃｏｍ  というＵＲＬと、同時に  ｈｔｔｐ：／／ｅｆｇ．ｃｏｍ／ｆａｘ．ｈｔｍｌ  というＷＥＢページを示すＵＲＬを有する。３０７、３０８はＬＡＮケーブルである。
【００１９】
以下、本発明のＩＰＰＦＡＸ通信システムでの原稿送信時の動作について説明する。
【００２０】
送信者は、送信原稿を読取部にセットし、操作部から不図示の入力キーによって、受信機のＷＥＢページのＵＲＬ（ｈｔｔｐ：／／ｅｆｇ．ｃｏｍ／ｆａｘ．ｈｔｍｌ）を入力して決定キーを押下する。前記操作が行われると、送信機は、ＤＮＳサーバに対して問い合わせを行い、ＤＮＳサーバから受信機  ｈｔｔｐ：／／ｅｆｇ．ｃｏｍ  のＩＰアドレスを得る（Ｓ１０３）。受信機のＩＰアドレスが得られたら、そのＩＰアドレスに対してｈｔｔｐプロトコルによって、パス名  ｆａｘ．ｈｔｍｌ  のＷＥＢページ情報を取得する。ＷＥＢページ情報を取得すると、そのＨＴＭＬ文書を解析して、表示部に表示する。
【００２１】
以下は、取得したＷＥＢページ情報の例である。
2005229481.tif 000003
【００２２】
図４は、送信機の表示部１１０と操作部１０５の一部を示したもので、取得したＷＥＢページ情報を解析すると図４のように表示される。アンダーラインが引かれた「カラー」、「解像度」、「用紙サイズ」の各設定項目ごとに、”ｒａｄｉｏ”ボタンのタグによって記述された選択項目が表示されている。一番下のボタンは”ｓｕｂｍｉｔ”タグの付いた送信ボタンであり、このボタンが選択されると、選択された（チェックが入った）”ｒａｄｉｏ”ボタンのモードに従って、原稿の読み取り、送信が開始される。”ｓｕｂｍｉｔ”タグのｖａｌｕｅ＝”・・・”の値が、ＩＰＰＦＡＸ受信機のＵＲＬを示す。この例では、ｉｐｐｆａｘ：／／ｅｆｇ．ｃｏｍとなっている。表示部に表示される「カラー」「解像度」等の文字画像は、ＷＥＢページ情報の文字データから、キャラクタジェネレータ１１６によって生成する。ＷＥＢページ情報の”ｒａｄｉｏ”タグで示された選択項目は、矢印キー４０１を押下することによって移動し、決定キー４０２によって選択、決定する。
【００２３】
図４〜図９に沿って、ＷＥＢページの表示の例と、表示されたＷＥＢページから送信モードを選択する操作の例を説明する。
【００２４】
図４でカラーとモノクロが選択可能であることから、少なくとも受信機はＵＩＦの文書フォーマット、ＴＩＦＦ−ＦＸ  Ｐｒｏｆｉｌｅ  Ｆ（もしくはＳ）およびＰｒｏｆｉｌｅ  Ｃ  をサポートしていることが分かる。この上記ＷＥＢページ情報の記述の、ｎａｍｅ＝”ｃｏｌｏｒ”の”ｒａｄｉｏ”ボタンのタグに、受信機が扱えるＵＩＦのＰｒｏｆｉｌｅが、「カラー」および「モノクロ」に対応して、それぞれｖａｌｕｅ＝”ｐｒｏｆｉｌｅ  ｃ”、  ｖａｌｕｅ＝”ｐｒｏｆｉｌｅ  ｆ”と記述されている。送信機は、このｖａｌｕｅの記述を参照することで、使用可能なＵＩＦのｐｒｏｆｉｌｅを知る。ＩＰＰＦＡＸプロトコルで扱える文書フォーマットはＵＩＦ（Ｕｎｉｖｅｒｓａｌ  Ｉｍａｇｅ  Ｆｏｒｍａｔ）で規定されていて、ＴＩＦＦ−ＦＸ  Ｐｒｏｆｉｌｅ  Ｓ、Ｐｒｏｆｉｌｅ  Ｆ、Ｐｒｏｆｉｌｅ  Ｊ、Ｐｒｏｆｉｌｅ  Ｃ  等があり、それぞれ、符号化方式、解像度等が規定されている。例えば、Ｐｒｏｆｉｌｅ  Ｆ  では、符号化方式としては、ＭＨ、ＭＲ、ＭＭＲが選択でき、解像度は２００×２００ｄｐｉ、３００×３００ｄｐｉ、６００×６００ｄｐｉが選択できる。Ｐｒｏｆｉｌｅ  Ｊ  はＪＢＩＧ符号化をサポートし、Ｐｒｏｆｉｌｅ  Ｃ  はＪＰＥＧ符号化をサポートしている。
【００２５】
さらに記録解像度が、ｎａｍｅ＝”ｒｅｓｏｌｕｔｉｏｎ”の”ｒａｄｉｏ”ボタンのタグに、ｖａｌｕｅ＝”・・・”の値で記述されていて、上記ＷＥＢページ情報では、２００×２００ｄｐｉ、３００×３００ｄｐｉ、６００×６００ｄｐｉを選択できる。同様に用紙サイズは、ｎａｍｅ＝”ｐａｐｅｒ”の”ｒａｄｉｏ”ボタンのタグに、ｖａｌｕｅ＝”・・・”の値で記述されていて、用紙サイズのｖａｌｕｅの値は、ＲＦＣ１７５９で規定されているキーワードを使用する。上記ＷＥＢページ情報では、”ｉｓｏ＿ａ４＿２１０×２９７”、”ｉｓｏ＿ｂ４＿２５０×３５３”が記述されており、それぞれＡ４サイズとＢ４サイズを示している。つまり、Ａ４サイズとＢ４サイズを選択できることになる。
【００２６】
送信者は、表示を見ながら”↓”キーを押下することによって、設定項目を選択する。制御部は”↓”キーが押下されると、押下されるごとに設定項目、つまり＜Ｕ＞・・・＜／Ｕ＞のタグで囲まれた文字（アンダーラインを引かれた文字）を、順番に反転させる。設定項目は、カラー、解像度、用紙サイズの３項目で、それぞれ、カラー／モノクロ、２００×２００ｄｐｉ／３００×３００ｄｐｉ／６００×６００ｄｐｉ、用紙サイズはＡ４／Ｂ４が選択できる。最初に”↓”キーを押下すると、図５に示すように読み取り色を決定するために、「カラー」の文字が反転する。以降、矢印キー”↓”を押下するごとに選択項目が、カラー→解像度→用紙サイズ→カラー→・・・と移動して、選択されている設定項目が反転する。次に”→”キーを押下すると、その設定項目における設定項目の選択モードに入る。そこで”↓”キーを押下するごとに、その設定項目内での選択項目の”ｒａｄｉｏ”ボタンのチェックが移動する。例えばカラー設定時に”→”キーを押下すると、読み取り色を選択できるようになる。デフォルトではカラーのチェックが入っている。この状態で”↓”キーを押下すると、チェックがモノクロに移動する。以降、”↓”キーを押下するごとに、モノクロ→カラー→モノクロ→・・・と変化する。カラーを選択するためには、図５のようにカラーの”ｒａｄｉｏ”ボタンにチェックが入っているときに決定キーを押下する。決定キーが押下されると、そのときにチェックが入っている”ｒａｄｉｏ”タグのｖａｌｕｅの値をバッファメモリに記憶する。ここではカラーが選択されているので”ｐｒｏｆｉｌｅ  ｃ”をバッファメモリに記憶する。
【００２７】
同時に、図６のように自動的に解像度の設定モードに入り、「解像度」の文字が反転する。同様に”→”キーを押下すると、解像度の設定モードに入って、解像度が”↓”キーによって選択できるようになる。ここで、Ｐｒｏｆｉｌｅ  Ｃでは３００×３００ｄｐｉまでしかサポートしていないので、選択項目から６００×６００ｄｐｉは選択できないようにする。つまり”↓”キーを押下しても、２００×２００ｄｐｉの”ｒａｄｉｏ”ボタンと３００×３００ｄｐｉの”ｒａｄｉｏ”ボタンの間だけでチェックが移動する。ここでも読み取りたい解像度の”ｒａｄｉｏ”ボタンにチェックが入っているときに決定キーを押下すると、読み取り解像度が決定し、そのときの”ｒａｄｉｏ”タグのｖａｌｕｅの値がバッファメモリに記憶する。
【００２８】
図７では３００×３００ｄｐｉを選択しているので、決定キーが押下されると、”３００＊３００”をバッファメモリに記憶する。
【００２９】
同時に、図８のように自動的に用紙サイズの設定モードに入り、「用紙サイズ」の文字が反転する。同様に”→”キーを押下すると、用紙サイズの設定モードに入って、用紙サイズが”↓”キーによって選択できるようになる。これも同様に、使用したい用紙サイズの”ｒａｄｉｏ”ボタンにチェックが入っているときに決定キーを押下することによって、用紙サイズが決定し、その”ｒａｄｉｏ”タグのｖａｌｕｅの値をバッファメモリに記憶する。ここではＡ４サイズを選択しているので、”ｉｓｏ＿ａ４＿２１０×２９７”をバッファメモリに記憶する。以上、読み取りモードの設定が終了すると、図９に示すように受信機のＵＲＬが表示された”ｓｕｂｍｉｔ”ボタンが反転し、ここで決定キーを押下すると、設定された読み取りモード、つまりバッファメモリに記憶した各ｖａｌｕｅの値に従って、原稿の読み取りが開始され（上記操作例では、カラー読み取り、ＪＰＥＧ符号化、３００×３００ｄｐｉ、Ａ４）、”ｓｕｂｍｉｔ”ボタンの、ｖａｌｕｅ＝”・・・”で示されるＩＰＰＦＡＸのＵＲＬに対してＩＰＰＦＡＸ通信を開始する。上記ＷＥＢページ情報では  ｉｐｐｆａｘ：／／ｅｆｇ．ｃｏｍ  のＵＲＬで示されるＩＰＰＦＡＸ受信機に送信する。Ｓｕｂｍｉｔ”ボタンが反転しているときに、決定キーではなく”↓”キーを押下すると、再び「カラー」の設定モードに戻る。
【００３０】
以下、本発明のＩＰＰＦＡＸ通信システムにおいて、送信機２０１から受信機２０６へ画像を送信するときの操作手順および通信プロトコルを図１０に示し、さらに図１１のフローチャートに沿って説明する。
【００３１】
送信者が、送信原稿を読取部にセットし、受信機のＷＥＢページのＵＲＬ  ｈｔｔｐ：／／ｅｆｇ．ｃｏｍ／ｆａｘ．ｈｔｍｌ  を入力して決定キーを押下すると（Ｓ１０１）、ＤＮＳサーバに問い合わせをして（Ｓ１０２）、ｈｔｔｐ：／／ｅｆｇ．ｃｏｍのＩＰアドレスを得る（Ｓ１０３）。ＩＰアドレスが得られたら、そのＩＰアドレスに対して  ＧＥＴ  ／ｆａｘ．ｈｔｍｌ  ＨＴＴＰ１．０メッセージを送信して（Ｓ１０４）、ＷＥＢページ情報  ｆａｘ．ｈｔｍｌ  を取得する（Ｓ１０５）。送信機は、取得したＷＥＢページ情報を解析し、表示部に表示する（Ｓ１０６）。上記設定方法によって読み取りモードを選択し、”ｓｕｂｍｉｔ”タグが選択されると（Ｓ１０７）、選択された読取モードに従って、原稿の読み取りを行う（Ｓ１０８）。次に、再びＤＮＳサーバに問い合わせをして（Ｓ１０９）、受信機  ｉｐｐｆａｘ：／／ｅｆｇ．ｃｏｍ  のＩＰアドレスを得る（Ｓ１１０）。現実的には、ｈｔｔｐ：／／ｅｆｇ．ｃｏｍとｉｐｐｆａｘ：／／ｅｆｇ．ｃｏｍは、アプリケーション層が違うだけ、つまりＴＣＰプロトコルのポート番号が違うだけで、ホストを示すＩＰアドレスは同じであるので、Ｓ１０９、Ｓ１１０のステップは省略することも可能である。受信機のＩＰアドレスが得られたら、そのＩＰアドレスに対してｈｔｔｐプロトコルによってＩＰＰＦＡＸプロトコルの通信を開始し、受信機に対して  Ｇｅｔ＿Ｐｒｉｎｔｅｒ＿Ａｔｔｒｉｂｕｔｅｓ  メッセージを送信する（Ｓ１１１）。Ｇｅｔ＿Ｐｒｉｎｔｅｒ＿Ａｔｔｒｉｂｕｔｅｓ  メッセージは、相手先ＩＰＰＦＡＸ装置の装置名称、処理可能な文書フォーマット等を確認するものである。相手先ＩＰＰＦＡＸ装置から  Ｇｅｔ＿Ｐｒｉｎｔｅｒ＿Ａｔｔｒｉｂｕｔｅｓ  メッセージに対するレスポンスである  Ｇｅｔ＿Ｐｒｉｎｔｅｒ＿Ａｔｔｒｉｂｕｔｅｓ＿Ｒｅｓｐｏｎｓｅ  メッセージを受信すると（Ｓ１１２）、すでに受信機の記録能力は分かっているので、バッファメモリに記憶した各設定項目のｖａｌｕｅの値に従って、Ｖａｌｉｄａｔｅ＿ｊｏｂメッセージを生成して送信する（Ｓ１１３）。受信機からＶａｌｉｄａｔｅ＿ｊｏｂ＿Ｒｅｓｐｏｎｓｅメッセージを受けると（Ｓ１１４）、Ｐｒｉｎｔ＿ｊｏｂによって読み取った画像データを送信する（Ｓ１１５、Ｓ１１６）。画像データの送信が終了すると、Ｇｅｔ＿Ｎｏｔｉｆｉｃａｔｉｏｎｓメッセージを送信し（Ｓ１１７）、相手先ＩＰＰＦＡＸ装置から正常にレスポンスが返ってきたら（Ｓ１１８）通信を終了する。
【００３２】
以上のように構成することによって、相手先ＩＰＰＦＡＸ装置の記録能力に合わせて読み取りモードを設定できるようになり、送信者にとって思いがけない画像のフォールバックをなくすことができる。
【００３３】
また本実施例では、説明を簡単にするために送信機と受信機をそれぞれ独立に説明したが、送信機の機能と受信機の機能を一つの装置内にまとめて、送受信機として構成可能なことは明らかである。
【図面の簡単な説明】
【００３４】
【図１】本発明を実施したＩＰＰＦＡＸ送信機のブロック図
【図２】本発明を実施したＩＰＰＦＡＸ受信機のブロック図
【図３】本発明のＩＰＰＦＡＸ通信システムの利用形態を示した図
【図４】設定表示の例を示す図
【図５】設定表示の例を示す図
【図６】設定表示の例を示す図
【図７】設定表示の例を示す図
【図８】設定表示の例を示す図
【図９】設定表示の例を示す図
【図１０】本発明実施時の通信プロトコルを表した図
【図１１】本発明の通信動作を表すフローチャート
【符号の説明】
【００３５】
１０１  制御部
１０２  ＲＯＭ
１０３  ＲＡＭ
１０４  バッファメモリ
１０５  操作部
１０６  読取処理部
１０７  読取部
１１０  表示部
１１２  符号化処理部
１１５  ＬＡＮ制御部
１１６  キャラクタジェネレータ
２０１  制御部
２０２  ＲＯＭ
２０３  ＲＡＭ
２０４  バッファメモリ
２０５  操作部
２０８  記録処理部
２０９  記録部
２１０  表示部
２１２  符号化処理部
２１５  ＬＡＮ制御部
２１７  ＷＥＢページメモリ
３０１  本発明のＩＰＰＦＡＸ送信機
３０２  ＩＰ網
３０３  ＤＮＳサーバ
３０４，３０５  インターネットルータ
３０６  本発明のＩＰＰＦＡＸ受信機
３０７，３０８  ＬＡＮケーブル
４０１  矢印キー
４０２  決定キー
【図１】
2005229481.tif 000004
【図２】
2005229481.tif 000005
【図３】
2005229481.tif 000006
【図４】
2005229481.tif 000007
【図５】
2005229481.tif 000008
【図６】
2005229481.tif 000009
【図７】
2005229481.tif 000010
【図８】
2005229481.tif 000011
【図９】
2005229481.tif 000012
【図１０】
2005229481.tif 000013
【図１１】
2005229481.tif 000014